(57)【要約】  【課題】  ゴミ受けカゴに付着している生ゴミ、あるいは、下水からの異臭を消すことができたり、ゴミ受けカゴに付着しているヌメリを除去できる構成を有する蓋を提供すること。  【解決手段】  流しの排水口２の上部に設けられ、排水用の開口６１を有するゴミかくし用の蓋１において、前記開口６１は湾曲形状の下縁６２および上縁６３によって形成されており、ヌメリ除去作用および／または殺菌作用を有する薬剤、あるいは、生ゴミや下水からの異臭を消す消臭作用を有する薬剤６を収容する複数の収容部７が設けられた湾曲部材８を前記開口６１の下縁６２に取り付けてある。  【選択図】  図１
2005036606.tif 000002
【特許請求の範囲】
【請求項１】
流しの排水口の上部に設けられ、排水用の開口を有するゴミかくし用の蓋において、ヌメリ除去作用および／または殺菌作用を有する薬剤、あるいは、生ゴミや下水からの異臭を消す消臭作用を有する薬剤を前記開口に設けてあることを特徴とする蓋。  
【請求項２】
流しの排水口の上部に設けられ、排水用の開口を有するゴミかくし用の蓋において、前記開口は湾曲形状の下縁および上縁によって形成されており、ヌメリ除去作用および／または殺菌作用を有する薬剤、あるいは、生ゴミや下水からの異臭を消す消臭作用を有する薬剤を収容する複数の収容部が設けられた湾曲部材を前記開口の下縁に取り付けてあることを特徴とする蓋。
【請求項３】
前記収容部は、当該収容部内に流入する排水の流入孔と収容部内から流出する溶解液の流出孔を兼用する孔を有するとともに、この孔を前記開口の上縁に向けて設けてある請求項２に記載の蓋。
【発明の詳細な説明】
【技術分野】
【０００１】
この発明は、流しの排水口の上部に設けられる蓋に関するものである。
【背景技術】
【０００２】
流しの排水口の上部に設けられ、排水用の開口を有するゴミかくし用の蓋として、図５、図６に示すものがある。図５、図６において、６０は、流しの排水口２内に設置されるゴミ受けカゴ（図示せず）用の蓋で、排水用の開口６１を有し、ゴミ受けカゴに溜まったゴミを見えないようにしたり、ゴミ受けカゴに付着している生ゴミや、あるいは、下水からの異臭が外部に漏れないようにするために使用されている。そして、前記開口６１は下縁６２および上縁６３によって形成されており、前記下縁６２は、中央に行くにつれ下向きに湾曲した形状をなす。また、前記上縁６３の中央は水平方向に長いフラットな形状をなし、両端に行くにつれて下降している。６３ａは、上縁６３の一端を示し、６３ｂは、上縁６３の中央を示す。
【発明の開示】
【発明が解決しようとする課題】
【０００３】
ところで、前記異臭を消すために市販の消臭剤が使用されているが、これを前記ゴミ受けカゴ等に設置する必要があった。
【０００４】
この発明は、上述の事柄に留意してなされたもので、その目的は、ゴミ受けカゴに付着している生ゴミ、あるいは、下水からの異臭を消すことができたり、ゴミ受けカゴに付着しているヌメリを除去できる構成を有する蓋を提供することである。
【課題を解決するための手段】
【０００５】
上記目的を達成するために、この発明の蓋は、流しの排水口の上部に設けられ、排水用の開口を有するゴミかくし用の蓋において、ヌメリ除去作用および／または殺菌作用を有する薬剤、あるいは、生ゴミや下水からの異臭を消す消臭作用を有する薬剤を前記開口に設けてあることを特徴としている。
【０００６】
また、この発明は別の観点から、流しの排水口の上部に設けられ、排水用の開口を有するゴミかくし用の蓋において、前記開口は湾曲形状の下縁および上縁によって形成されており、ヌメリ除去作用および／または殺菌作用を有する薬剤、あるいは、生ゴミや下水からの異臭を消す消臭作用を有する薬剤を収容する複数の収容部が設けられた湾曲部材を前記開口の下縁に取り付けてあることを特徴とする蓋を提供する。
【発明の効果】
【０００７】
この発明では、流しの排水口の上部に設けられるゴミかくし用の蓋に形成されている排水用の開口に、ヌメリ除去作用および／または殺菌作用を有する薬剤、あるいは、生ゴミや下水からの異臭を消す消臭作用を有する薬剤を設けたので、ゴミ受けカゴに付着しているヌメリを除去できたり、ゴミ受けカゴに付着している生ゴミ、あるいは、下水からの異臭を消すことができる。
【０００８】
また、この発明では、流しの排水口の上部に設けられ、排水用の開口を有するゴミかくし用の蓋において、前記開口が湾曲形状の下縁および上縁によって形成されているので、ヌメリ除去作用および／または殺菌作用を有する薬剤、あるいは、生ゴミや下水からの異臭を消す消臭作用を有する薬剤を収容する複数の収容部が設けられた湾曲部材を前記開口の下縁に取り付けることにより、ゴミ受けカゴに付着しているヌメリを除去できたり、ゴミ受けカゴに付着している生ゴミ、あるいは、下水からの異臭を消すことができる。
【発明を実施するための最良の形態】
【０００９】
以下、この発明の実施形態を、図を参照しながら説明する。なお、それによってこの発明は限定されるものではない。
【００１０】
図１〜図３は、ヌメリ除去作用および／または殺菌作用を有する薬剤、あるいは、生ゴミや下水からの異臭を消す消臭作用を有する薬剤を収容する複数の収容部が設けられた湾曲部材を、ゴミかくし用の蓋の排水用の開口の下縁に着脱自在に取り付けてあるこの発明の一実施形態を示す。なお、この実施形態で用いるゴミかくし用の蓋は、図５、図６に示したものと同一構造のものを用いている。
【００１１】
図１〜図３において、１は、例えば樹脂製のゴミ受けカゴで、流しのシンクＡに設けられている排水口２の上部２ａに直接設置されている。前記ゴミ受けカゴ１は、有底筒状で、上方開口１ａを有し、胴部３と底部４はメッシュ状に形成されている。
【００１２】
そして、ゴミ受けカゴ１の上方開口１ａを覆うように蓋６０が設けられる。この蓋６０は、排水用の開口６１を中央で、かつ上下方向に有し、ゴミ受けカゴに溜まったゴミを見えないようにしたり、ゴミ受けカゴに付着している生ゴミや、あるいは、下水からの異臭が外部に漏れないようにするために使用される。前記開口６１は流しの排水の排水流路の一部を形成するもので、下縁６２および上縁６３によって形成されており、前記下縁６２は、中央に行くにつれ向きに湾曲した形状をなす。また、前記上縁６３の中央は水平方向に長いフラットな形状をなし、両端６３ａ，６３ｃに行くにつれて下降している。６３ｂは、上縁６３の中央を示す。
【００１３】
以下、この発明の特徴的構成について説明する。
【００１４】
８は、湾曲部材で、ヌメリ除去作用および／または殺菌作用を有する円板状の薬剤、あるいは、生ゴミや下水からの異臭を消す消臭作用を有する円板状の薬剤６を収容する複数の収容部７が設けられている。この湾曲部材８は、流しの排水の排水流路の一部を形成する前記開口６１の下縁６２に着脱自在に取り付けられている。前記湾曲部材８は、変形し易い樹脂で形成されており、例えばポリプロピレンが好ましい。そのため、前記湾曲部材８を下縁６２に取り付けたり、新しいものに交換するために下縁６２から取り外す作業を容易にできる。前記湾曲部材８は、下縁６２の湾曲形状に対応する湾曲した形状を有し、下縁６２を挟む複数の挟持部９と、挟持部９に対応した数の収容部７とよりなる。湾曲部材８の長さは、下縁６２の長さに略等しく設定されている。また、前記複数の収容部７は、湾曲部材８の長さ方向に沿う形で、かつ、所定間隔を有して一列に設けられている。そして、各収容部７は、一つの薬剤６が収容される大きさに設定されている。
【００１５】
更に、湾曲部材８は、長さ方向において分割可能な二つ割りに構成されており、一対の湾曲部分８ａ，８ｂを接合することにより一つの薬剤６を収容する各収容部７が形成される。そして、前記挟持部９は、湾曲部分８ａ側の挟み部分９ａと湾曲部分８ｂ側の挟み部分９ｂとより構成されており、下縁６２を強固に挟むべく挟み部分９ａと挟み部分９ｂの対向面は下縁６２との摩擦効果を上げるために粗面Ｓに形成されている。
【００１６】
前記収容部７は、当該収容部７内に流入する排水の流入孔と収容部内から流出する溶解液の流出孔を兼用する孔１０を有するとともに、この孔１０を前記開口６１の上縁６３に向けて設けてある。
【００１７】
而して、複数の薬剤６が収容された湾曲部材８を、流しの排水の排水流路の一部を形成する開口６１の下縁６２に取り付けた状態で、蓋６０を流しの排水口２の上部２ａに設置する。すなわち、ゴミ受けカゴ１の上方開口１ａを覆うように蓋６０を設置する。そして、流しの排水は、孔１０から各収容部７に流入するとともに、各収容部７内で薬剤６が溶解し、排水と共に溶解した薬剤６が孔１０から流出してゴミ受けカゴ１を通り、排水口２から配管を介して下水に流れることから、ゴミ受けカゴ１に付着している生ゴミ、あるいは、下水からの異臭を消すことができたり、ゴミ受けカゴ１の殺菌を行ったり、ゴミ受けカゴ１に付着しているヌメリを除去できる。
【００１８】
なお、図４に示すように、ヌメリ除去作用および／または殺菌作用を有する薬剤、あるいは、生ゴミや下水からの異臭を消す消臭作用を有する薬剤６を収容する複数の収容部７が設けられた湾曲部８’を、ゴミかくし用の蓋６０の排水用の開口６１の下縁６２部分に一体成形してもよい。図４において、図１〜図３に示した符号と同一のものは同一または相当物である。
【図面の簡単な説明】
【００１９】
【図１】この発明の一実施形態における使用状態を示す構成説明図である。
【図２】前記実施形態における底面図である。
【図３】（Ａ）は、前記実施形態における湾曲部材を示す要部構成説明図である。(Ｂ）は、前記実施形態における湾曲部材の収容部と挟持部を示す構成説明図である。
【図４】この発明の他の実施形態を示す構成説明図である。
【図５】従来例を示す平面図である。
【図６】従来例を示す縦断面図である。
【符号の説明】
【００２０】
１  ゴミかくし用の蓋
２  流しの排水口
６  薬剤
７  収容部
８  湾曲部材
６１  排水用の開口
６２  下縁
６３  上縁  
【図１】
2005036606.tif 000003
【図２】
2005036606.tif 000004
【図３】
2005036606.tif 000005
【図４】
2005036606.tif 000006
【図５】
2005036606.tif 000007
【図６】
2005036606.tif 000008